(57)【要約】【課題】要求されたサービスの種類およびワイヤレス・デバイスの所在地に基づいて、ワイヤレス・デバイスにおけるサービスを許可するシステム。【解決手段】  例えば、ワイヤレス電話システムでは、インターネット・プロトコル系システムを通じてセッションを設定するとき、アプリケーション・サーバが測地サービスに、サービスを要求しているハンドセットの所在地を問い合わせる。ハンドセットの位置に基づいて、ハンドセットまたは受信側ハンドセットの所在地では、要求されたサービスが許可されていない場合、接続をイネーブルしない。メッセージを送信側ハンドセットに送信して、その所在地ではサービスが許可されていないことをユーザに伝えることもできる。【選択図】      図２
2009504091.tif 000002
【特許請求の範囲】
【請求項１】
ワイヤレス・ネットワーク内においてサービスを許可するための方法であって、
ワイヤレス・デバイスから前記サービスの要求を受けるステップと、
前記ワイヤレス・デバイスの所在地を判定するステップと、
前記所在地を、データベース内にある場所データと比較するステップと、
前記比較の結果および前記サーバに基づいて前記サービスを許可するステップと、
を備えた、方法。
【請求項２】
請求項１記載の方法であって、更に、
送信側ワイヤレス・デバイスの第１所在地を判定するステップと、
前記第１所在地では前記サービスが許可されていないか否か判定を行うステップと、
を備えた、方法。
【請求項３】
請求項１記載の方法であって、更に、
受信側ワイヤレス・デバイスの第２所在地を判定するステップと、
前記第２所在地では前記サービスが許可されていないか否か判定を行うステップと、
を備えた、方法。
【請求項４】
請求項１記載の方法において、当該方法を前記ワイヤレス・デバイス内部で実行する、方法。
【請求項５】
請求項４記載の方法であって、更に、
前記ワイヤレス・デバイスにおいて、前記場所データを収容した通信を受けるステップと、
前記場所データを、前記ワイヤレス・デバイス内の前記データベースに格納するステップと、
を備えた、方法。
【請求項６】
請求項１記載の方法において、前記場所データは、前記サービスが許可されていない地理的場所を含む、方法。
【請求項７】
請求項１記載の方法であって、更に、送信側ワイヤレス・デバイスからセッション開始プロトコル（ＳＩＰ）INVITEを受けるステップを備えた、方法。
【請求項８】
請求項７記載の方法であって、更に、前記サービスが許可されないとき、前記送信側ワイヤレス・デバイスにＳＩＰエラー・メッセージを供給するステップを備えた、方法。
【請求項９】
請求項１記載の方法であって、更に、前記要求の時刻に基づいて、前記サービスを許可するステップを備えた、方法。
【請求項１０】
ワイヤレス・ネットワークと通信するように接続されたワイヤレス・デバイスが要求するサービスを許可するためのシステムであって、
ワイヤレス・デバイスおよびサービス要求を管理するセッション・コントローラと、
前記サービスを提供するアプリケーション・サーバと、
場所データベースと、
を備えており、前記ワイヤレス・デバイスがサービス要求を行ったときに、前記アプリケーション・サーバは前記ワイヤレス・デバイスの第１所在地を確認し、前記サービスを許可するために第１所在地を前記場所データベースと比較する、システム。
【請求項１１】
請求項１０記載のシステムにおいて、前記第１所在地は、送信側ワイヤレス・デバイスの所在地であり、前記第１所在地では前記サービスが許可されない、システム。
【請求項１２】
請求項１１記載のシステムにおいて、受信側ワイヤレス・デバイスの第２所在地を判定し、前記第２所在地では前記サービスが許可されない、システム。
【請求項１３】
請求項１０記載のシステムにおいて、前記場所データは、前記サービスが許可されない地理的場所を含む、システム。
【請求項１４】
請求項１０記載のシステムにおいて、前記要求は、セッション開始プロトコル（ＳＩＰ）INVITEの形態で受ける、システム。
【請求項１５】
請求項１４記載のシステムにおいて、前記アプリケーション・サーバは、前記サービスが許可されないことを示すＳＩＰメッセージによって、前記ワイヤレス・デバイスに応答する、システム。
【請求項１６】
請求項１０記載のシステムにおいて、前記要求の時刻に基づいて、前記サービスを許可する、システム。
【請求項１７】
請求項１０記載のシステムであって、更に、前記ワイヤレス・デバイスへの無線周波数（ＲＦ）通信によって、前記第１所在地を確認する測地サーバを備えた、システム。
【請求項１８】
請求項１０記載のシステムにおいて、前記ワイヤレス・デバイスは、移動体ハンドセットを備えており、前記ワイヤレス・ネットワークはワイヤレス電話ネットワークを備えた、システム。
【請求項１９】
ワイヤレス・ハンドセット内でサービスを許可する方法であって、
場所データを受けるステップと、
前記サービスの要求を受けるステップと、
前記ワイヤレス・デバイスの所在地を判定するステップと、
前記所在地を前記ワイヤレス・ハンドセット内部にある前記場所データと比較するステップと、
前記比較の結果および前記要求に基づいて、前記サービスを許可するステップと、
を備えた、方法。
【請求項２０】
請求項１９記載の方法であって、更に、前記場所データを先入れ先出し（ＦＩＦＯ）順で受けるステップを備えており、前記場所データは、前記サービスが許可されない地理的場所を含む、方法。
【発明の詳細な説明】
【技術分野】
【０００１】
（関連出願に対する相互引用）
本願は、２００５年８月３日に出願した米国特許出願第１１／１９６，００５号の優先権を主張する。その開示内容全体は、ここで引用したことにより、本願にも含まれるものとする。
（発明の分野）
本発明は、ワイヤレス・サービスに関する。特に、本発明は、要求されたサービスの種類、およびワイヤレス・デバイスの所在地に応じてサービスを許可するシステムに関する。
【背景技術】
【０００２】
汎ヨーロッパ・ディジタル移動体通信システム（ＧＳＭ）は、今日急速に成長しつつある通信システムにおいて、最も広いワイヤレス・アクセス・システムの１つである。ＧＳＭは、移動体電話やコンピュータ・ユーザのような加入者に、回線交換データ・サービスを提供する。総合パケット無線サービス（ＧＰＲＳ）は、ＧＳＭ技術の拡張であり、ＧＳＭネットワークにパケット交換を導入する。ＧＰＲＳは、パケットに基づくワイヤレス通信技術を用いて、効率的に高速および低速データならびにシグナリングを転送する。ＧＰＲＳは、ネットワークおよび無線資源の使用を最適化し、こうしてパケット・モード用途に対するＧＳＭネットワーク資源の価格効果的および効果的な使用を可能にする。
【発明の開示】
【発明が解決しようとする課題】
【０００３】
従来のシステムは、画像の共有ならびにビデオおよびオーディオのストリーミングというような、マルチメディア・サービスを用意している。しかしながら、従来のシステムは、これらのサービスやその他のサービスに対して制限を設けることができない。このため、例えば、ビデオ／オーディオの記録が許されていない場所において、問題が生ずる。例えば、スポーツ・イベントの間スタジアムからのビデオ・ストリーミングを防止すること、またはコンサートからのオーディオ・ストリームを防止することができれば望ましい場合がある。他の例には、会社の建物から、学校における試験の間等にはある種のサービスを禁止することが含まれる。
【課題を解決するための手段】
【０００４】
本システムは、要求されたサービスの種類およびワイヤレス・デバイスの所在地に基づいて、ワイヤレス・デバイスにおけるサービスを許可する。例えば、ワイヤレス電話システムでは、インターネット・プロトコルに基づくシステムを通じてセッションを設定すると、アプリケーション・サーバが測地サービスに、サービスを要求しているハンドセットの所在地について問い合わせる。発信元ハンドセットまたは受信ハンドセットが所在する所在地では、ハンドセットの位置に基づいて要求されたサービスが許可されない場合、接続が可能にならない。その所在地ではサービスが許可されないことをユーザに伝えるために、メッセージを発信元ハンドセットに送信することもできる。
【０００５】
あるいは、ハンドセットは、場所データのブロードキャストを受信し、先入れ先出し方式でハンドセットにこのデータを格納することができる。場所データは、場所／サービスの組み合わせを含み、これによって、ハンドセット自体が、当該ハンドセットの現在地においてサービスが許可されるか否か判断することができる。場所データは、ハンドセットが内部に最新のリストを収容していることを確保するために、必要に応じて更新することができる。
【発明を実施するための最良の形態】
【０００６】
図１は、ＧＳＭ／ＧＰＲＳ／ＩＰマルチメディア・ネットワーク・アーキテクチャ１００を示し、ＧＳＭコア・ネットワーク１０１、ＧＰＲＳネットワークｗ−ｋｕ１３０、およびＩＰマルチメディア・ネットワーク１３８を含む。ＧＳＭコア・ネットワーク１０１は、移動局（ＭＳ）１０２、少なくとも１つの基地送受信局（ＢＴＳ）１０４、および基地局コントローラ（ＢＳＣ）１０６を含む。ＭＳ１０２は、移動体加入者が用いる移動体電話機またはラップトップ・コンピュータのような、物理的機器即ち移動体機器（ＭＥ）であり、加入者識別モジュール（ＳＩＭ）を有する。ＳＩＭは、加入者の一意の識別子である、国際移動体加入者個人情報（ＩＭＳＩ）を含む。ＢＴＳ１０４は、無線タワーのような、物理的機器であり、無線インターフェースがＭＳと通信するのを可能にする。各ＢＴＳは、１台よりも多いＭＳを担当する。ＢＳＣ１０６は、ＢＴＳを含む無線資源を管理する。ＢＳＣを数カ所のＢＴＳと接続することもできる。ＢＳＣおよびＢＴＳの構成機器を組み合わせて、纏めて基地局（ＢＳＳ）または無線アクセス・ネットワーク（ＲＡＮ）１０３と呼ぶ。
【０００７】
また、ＧＳＭコア・ネットワーク１０１は、移動体交換局（ＭＳＣ）１０８、ゲートウェイ移動体交換局（ＧＭＳＣ）１１０、ホーム・ロケーション・レジスタ（ＨＬＲ）１１２、ビジタ・ロケーション・レジスタ（ＶＬＲ）１１４、認証局（ＡｕＣ）１１８、および機器個体情報レジスタ（ＥＩＲ）１１６も含む。ＭＳＣ１０８は、ネットワークの交換機能を実行する。ＭＳＣは、登録、認証、場所更新、ハンドオーバー、および呼ルーティングのような、その他の機能も実行する。ＧＭＳＣ１１１０は、ＧＳＭネットワークと、統合サービス・ディジタル・ネットワーク（ＩＳＤＮ）または公衆電話交換ネットワーク（ＰＳＴＮ）１２０のようなその他のネットワークとの間にゲートウェイを設ける。言い換えると、ＧＭＳＣ１１０は、外部ネットワークとの相互作用機能を設ける。
【０００８】
ＨＬＲ１１２は、対応するＧＳＭネットワークに登録されている各加入者に関する運営管理情報を収容するデータベースである。ＨＬＲ１１２は、各ＭＳの現在の所在地も収容する。ＶＲＬ１１４は、ＨＬＲ１１２からの選択した管理運営情報を収容するデータベースである。ＶＬＲは、ＶＬＲが制御する地理的区域内に現在位置するＭＳ毎に、呼制御および加入サービスの提供に必要な情報を収容する。ＨＬＲ１１２およびＶＬＲ１１４は、ＭＳＣ１０８と共に、ＧＳＭの呼ルーティングおよびローミング能力を設ける。ＡｕＣ１１６は、認証および暗号化機能に必要となるパラメータを供給する。このようなパラメータにより、加入者の個人情報の検証が可能となる。ＥＩＲ１１８は、移動体機器に関する機密情報を格納する。
【０００９】
発話、データ、およびショート・メッセージ・サービス（ＳＭＳ）のようなＧＳＭサービスへのアクセスを得るには、ＭＳは最初にネットワークに登録し、所在地の更新およびＩＭＳＩ添付手順を実行することにより、その現在の所在地を示す。ＭＳ１０２は、その現在所在地情報を含む所在地更新を、ＢＴＳ１０４およびＢＳＣ１０６を通じて、ＭＳＣ／ＶＬＲに送る。次いで、所在地情報はＭＳのＨＬＲに送られる。ＭＳＣ／ＶＬＲから受信した所在地情報によって、ＨＬＲを更新する。また、ＭＳが新しい場所区域に移動したときにも、所在地更新を実行する。通例、所在地更新は、所在地更新イベントが発生する毎に、データベースを更新するために、周期的に行われる。
【００１０】
ＧＰＲＳネットワーク１３０は、２つのパケット交換ネットワーク・ノード、サービス提供ＧＰＲＳサポート・ノード（ＳＧＳＮ）１３２およびゲートウェイＧＰＲＳサポート・ノード（ＧＧＳＮ）１３４を導入することによって、ＧＳＭコア・ネットワーク・アーキテクチャ上に論理的に実施する。ＳＧＳＮ１３２は、ＧＳＭネットワーク内において、ＭＳＣ１０８と同じ階層レベルにある。ＳＧＳＮは、ＧＰＲＳネットワークとＭＳ１０２との間の接続を制御する。また、ＳＧＳＮは個々のＭＳの所在地およびセキュリティ機能、ならびにアクセス制御を追跡する。ＧＧＳＮ１３４は、ＧＰＲＳネットワークと公衆パケット・ネットワーク（ＰＤＮ）またはその他のＩＰネットワーク１３６との間にゲートウェイを設ける。即ち、ＧＧＳＮは外部ネットワークとの相互作用機能を設け、ＳＧＳＮを通じてＭＳへの論理リンクを設定する。パケット交換データがＧＰＲＳネットワークを離れると、Ｘ．２５ネットワークまたはインターネットのような、外部ＴＣＰ−ＩＰネットワーク１３６に転送される。ＧＰＲＳサービスにアクセスするためには、ＭＳは最初に、添付手順を実行することによって、それ自体をＧＰＲＳネットワークに添付する。次いで、ＭＳはパケット・データ・プロトコル（ＰＤＰ）コンテキストを活性化して、ＭＳ、ＳＧＳＮ、ＧＧＳＮ間のパケット通信セッションを活性化する。
【００１１】
ＧＳＭ／ＧＰＲＳネットワークでは、ＧＰＲＳサービスおよびＧＳＭサービスを並行して用いることができる。ＭＳは３つのクラス、クラスＡ、クラスＢ、およびクラスＣの内の１つで動作することができる。クラスＡのＭＳはＧＰＲＳサービスおよびＧＳＭサービスの同時動作をサポートする。例えば、クラスＡの移動体は、ＧＳＭ音声／データ／ＳＭＳ呼、およびＧＰＲＳデータ呼を同時に受けることができる。
【００１２】
クラスＢのＭＳは、同時にＧＰＲＳサービスおよびＧＳＭサービス双方のために、ネットワークに添付することができる。しかしながら、クラスＢのＭＳはＧＰＲＳサービスおよびＧＳＭサービスの同時動作をサポートしない。即ち、クラスＢのＭＳは所与の時点において２つのサービスの内一方しか用いることができない。
【００１３】
クラスＣのＭＳは、一度にＧＰＲＳサービスおよびＧＳＭサービスの一方のためにのみ添付することができる。ＧＰＲＳサービスおよびＧＳＭサービスの同時添付および動作は、クラスＣのＭＳでは可能ではない。
【００１４】
ＧＰＲＳネットワーク１３０は、３つのネットワーク動作モード（ＮＯＭ１、ＮＯＭ２およびＮＯＭ３）で動作するように設計することができる。ＧＰＲＳネットワークのネットワーク動作モードは、セル内部で送信されるシステム情報メッセージの中にあるパラメータによって指示される。システム情報メッセージは、ＭＳに、どこでページング・メッセージを聴取し、どのようにネットワークまで通知するか指令する。ネットワーク動作モードは、ＧＰＲＳネットワークの能力を表す。ＮＯＭ１ネットワークでは、ＭＳはデータ呼に繋がっているときは、回路交換ドメイン（音声呼）からの呼び出しを受けることができる。ＭＳは、ＭＳの能力によっては、データ呼を保留にするか、または双方を同時に取ることもあり得る。ＮＯＭ２ネットワークでは、ＭＳは、データ呼に繋がっているときには、回路交換ドメインからの呼び出しを受けることができない。何故なら、ＭＳはデータを受信しており、ページング・チャネルを聴取していないからである。ＮＯＭ３ネットワークでは、ＭＳは、データを受信しながら、呼び出しを監視して回路交換ネットワークを求める、およびその逆を行うことができる。
【００１５】
ＩＰマルチメディア・ネットワーク１３８は、３ＧＰＰリリース５と共に導入され、豊富なマルチメディア・サービスをエンド・ユーザに提供するために、ＩＰマルチメディア・サブシステム（ＩＭＳ）１４０を含む。ＩＭＳ１４０内部における代表的なネットワーク・エンティティ集合は、呼／セッション制御機能（ＣＳＣＦ）、メディア・ゲートウェイ制御機能（ＭＧＣＦ）１４６、メディア・ゲートウェイ（ＭＧＷ）１４８、およびホーム加入者サーバ（ＨＳＳ）１５０と呼ばれる、マスタ加入者データベースである。ＨＳＳは、ＧＳＭネットワーク１０１、ＧＰＲＳネットワーク１３０、およびＩＰマルチメディア・ネットワークに共通であってもよい。
【００１６】
ＩＰマルチメディア・システム１４０は、呼／セッション制御機能を中心に構築され、３つの種類がある。質問ＣＳＣＦ（Ｉ−ＳＣＳＦ）１４３、プロキシＣＳＣＦ（Ｐ−ＣＳＣＦ）１４２、およびサービス提供ＣＳＣＦ（Ｓ−ＣＳＣＦ）１４４である。Ｐ−ＣＳＣＦ１４２は、ＭＳのＩＭＳ１４０との最初の接触点である。Ｐ−ＣＳＣＦ１４２は、ＭＳから受信したセッション開始プロトコル（ＳＩＰ）メッセージを、ＭＳのホーム・ネットワークにおけるＳＩＰサーバに（およびその逆）転送する。また、Ｐ−ＣＳＣＦ１４２は、ネットワーク運営者が定義する規則集にしたがって、発信要求(outgoing request)を修正することもできる（例えば、アドレス分析および潜在的修正）。
【００１７】
Ｉ−ＣＳＣＦ１４３は、ホーム・ネットワークへの入口を形成し、ホーム・ネットワークの内部トポロジを、他のネットワークから秘匿し、Ｓ−ＣＳＣＦを選択する際に柔軟性を与える。Ｉ−ＣＳＣＦ１４３は、加入者所在地機能（ＳＬＦ）１４５と接触し、多数のＨＳＳ１５０がある場合に、個々の加入者にどのＨＳＳ１５０を用いるか決定することができる。Ｓ−ＣＳＣＦ１４４は、ＭＳ１０２のためにセッション制御サービスを実行する。これは、外部ネットワークに対するルーティング開始セッション、および訪問先ネットワークに対するルーティング終了セッションを含む。また、Ｓ−ＣＳＣＦ１１４は、アプリケーション・サーバ（ＡＳ）１５２が、しかるべきサービス処理を確保するために、着信ＳＩＰセッション要求の情報を受ける必要があるか否か判断する。この判断は、ＨＳＳ１５０（または、アプリケーション・サーバ１５２のようなその他のソース）から受ける情報に基づく。また、ＡＳ１５２は、ＭＳ１０２の位置（例えば、緯度／経度座標）を与える測地サーバ１５６（例えば、ゲートウェイ移動体測地局（ＧＭＬＣ））にも通信する。
【００１８】
ＨＳＳ１５０は、加入者プロファイルを収容し、現在どのコア・ネットワーク・ノードが加入者を処理しているか追跡する。また、加入者認証および許可機能（ＡＡＡ）もサポートする。ＨＳＳ１５０が１つよりも多いネットワークでは、加入者測地機能は、所与の加入者のプロファイルを収容した、ＨＳＳ１５０の情報を提供する。
【００１９】
ＭＧＣＦ１４６は、ＩＭＳ１４０からのＳＩＰセッション制御シグナリングと、外部ＧＳＴＮネットワーク（図示せず）からのＩＳＵＰ／ＢＩＣＣ呼制御シグナリングとの間に、相互作用機能を設ける。また、ユーザ面相互作用機能（例えば、ＡＭＲ−およびＰＣＭコード化音声間の変換）を設けるメディア・ゲートウェイ（ＭＧＷ）１４８を制御する。ＭＧＷ１４８は、他のＩＰマルチメディア・ネットワーク１５４とも通信する。
【００２０】
先に記したように、ＩＭＳ１４０は豊富なマルチメディア・サービス群を提供する。送信および／または受信側ＭＳ１０２の所在地に基づいて、何らかのサービスをイネーブル／ディスエーブル(enable/disable)することが望ましい場合もあり得る。例えば、ムービー・シアター内部からのビデオ・ストリーミング、コンサート・ホールからのオーディオ・ストリーミング、制限した場所からの映像の送付等を防止することが望ましい場合がある。図２は、本発明にしたがって実行するプロセス例を示す。プロセスはステップ２００において開始し、ここでＩＭＳ１４０を通じてセッションを設定する。次に、ＩＭＳ１４０はステップ２０２において測地サーバ１５６に問い合わせ、送出および受信ハンドセット（ＭＳ）の所在地を判定する。ハンドセット／ＭＳの所在地を判定するためには、補助ＧＰＳまたは三角測量法を用いるとよい。ステップ２０４において、返送されてきた所在地を、無許可の場所のデータベースに対して相関付ける（データベースは、代わりに、許可されている場所を収容してもよい。ステップ２０６において、所在地が許可されていない場合、ステップ２１０において要求されたサービスをイネーブルしない。彼／彼女の所在地では要求されたサービスが許可されていないことをユーザに伝えるテキスト・メッセージをハンドセットに送ることもできる。それ以外の場合、ステップ２０８においてサービスをイネーブルする。
【００２１】
ステップ２０６において、更に詳細なレベルを設けてもよく、ある時間には所在地を無許可にしてもよい。例えば、試験の間は学校においてテキスト・メッセージ送信を無許可にして（一方、緊急サービスは許可する）、他の時間には許可することができる。スポーツ・イベントではカメラ付き電話機を阻止することができるが、ゲームの後には使用をイネーブルして、試合後のプレーヤの写真を撮れるようにすることもできる。
【００２２】
尚、図２のプロセスは、送信または受信側いずれのハンドセットにも実行することができる。
【００２３】
あるいは、２Ｇアーキテクチャでは、Enhanced Data rates for Global Evolution（ＥＤＧＥ：大域的発展用増強データ・レート）、また３Ｇアーキテクチャでは、Universal Mobile Telecommunications System（ＵＭＴＳ：全地球移動体電気通信システム）を、ＩＭＳ１４０の代わりに用いてもよい。これらは、提供するマルチメディア・サービス毎に異なるインフラストラクチャを必要とする場合もあるが、これらは双方とも、図２において実行するプロセスを遂行するために、ＩＭＳにとって代わることができる。本発明は、送信または受信側のいずれのハンドセットの所在地に基づいても、サービスを許可／防止するように構成することができる。ビデオ、オーディオ、Push to talk over Cellular（ＰｏＣ）、ピア間通信、データの応用等のようなサービスは、前述のリスト例には限定されることはない。何故なら、イネーブル／ディスエーブルするとよいサービスが他にもあることは、当業者であれば分かるからである。
【００２４】
これより図３を参照すると、発呼側訪問先ネットワーク２４２における発呼側が被呼側訪問先ネットワーク２４８において被呼側と接触しようとする場合における上位呼フローの一例がある。ＳＩＰ招待（参照番号２２０）を発呼側が伝達する。ＳＩＰ招待は、発呼側訪問先ネットワーク２４２におけるＰ−ＣＳＣＦに転送され、次いで発呼側ホーム・ネットワーク２４４におけるＳ−ＣＳＣＦに転送される。Ｓ−ＣＳＣＦは、参照番号２２２の発呼側の加入者プロファイルを検索する。ＨＳＳにアクセスする際、認証、許可、および課金（ＡＡＡ）のためにダイアメータ・プロトコル(diameter protocol)を用いることができる。参照番号２２４において、サービス・ロジックを適用し、ＡＳ（またはその他のエレメント）によってステップ２０２〜２１０を実行して、ＳＩＰ要求および発呼側と関連のあるサービスが許可されているか否か判断する。許可されている場合、発呼側の被呼側ホーム・ネットワーク２４６のアドレスを、ドメイン・ネーム・システム（ＤＮＳ）１５８を用いて判断する（参照番号２２６）。この選択肢は、発呼側および被呼側が同じホーム・ネットワークを共有する場合には不要である。
【００２５】
次に、被呼側の登記係(registrar)を決定し、ＳＩＰ招待を転送する（参照番号２２８）。被呼側加入者プロファイルを検索し（参照番号２３０）、参照番号２３２においてサービス・ロジックを適用する。この場合も、ＳＩＰ要求および被呼側と関連のあるサービスが許可されているか否か判断するために、ステップ２０２〜２１０をＡＳ（またはその他）が実行するとよい。参照番号２３４において、ＳＩＰ招待を被呼側に転送する。次に、サービス・データ・ポイント（ＳＤＰ）ネゴシエーションおよびソース予約を実行し、被呼側のＭＳを呼び出す／警告し、被呼側が呼に答えて、両者を接続する。
【００２６】
図４は、サービス遮断を実施するための詳細な呼フローの一例を示す。フローが開始するのは、発信側ＭＳ／ＵＥ１のためにパケット・データ・プロトコル（ＰＤＰ）コンテキスト確立（１ａ）およびＰ−ＣＳＣＦ発見を実行することができるときである。Ｐ−ＣＳＣＦサービス発見は、登録から有効であり続けているはずである。次に、ＰＤＰコンテキスト確立（１ｂ）およびＰ−ＣＳＣＦ発見を、受信側ＭＳ／ＵＥ２のために実行する。ここでも、Ｐ−ＣＳＣＦサービス発見は登録から有効であり続けているはずである。
【００２７】
次に、SIP INVITEをＵＥ１からそのＰ−ＣＳＣＦにTel:URLを通じて伝達する（２．）。SIP INVITEを開始しようとする更なる試みを防止するために、「100 Trying」をＵＥ１に転送する（３．）。Ｐ−ＣＳＣＦによってSIP INVITEをＳ−ＣＳＣＦに転送する（４．）。Ｐ−ＣＳＣＦは、ＵＥ１のＳ−ＣＳＣＦ情報を保持する。次に、100 Trying をＰ−ＣＳＣＦに戻す（５．）。
【００２８】
次に、tel:URIを送った場合、ＵＥ１の代わりに、ＵＥ２に対するtel:URIに関するENUM問い合わせを実行する。ENUMは、インターネット・エンジニアリング・タスク・フォース（ＩＥＴＦ）プロトコルであり、ＰＳＴＮからの電話番号をインターネット・サービスにマッピングする。即ち、電話番号を入力し、URL/URIを出力する（６ａ．）。次に、ＤＮＳ問い合わせを実行してＵＥ２のＩ−ＣＳＣＦを発見する（６ｂ．）。
【００２９】
Ｓ−ＣＳＣＦから、ＵＥ１が要求したサービスを提供するＡＳに、SIP INVITEを転送する（７．）。次に、ＡＳはＧＭＬＣの所在地問い合わせを実行して、ＵＥ１および／またはＵＥ２の所在地を判定する（８．）。所在地をＡＳに戻す（９．）。所在地が許可されていない場合、ＡＳはSIP "488 Not Acceptable Here"（４８８ここでは受入不可）メッセージをＳ−ＣＳＣＦに戻す。このメッセージはＰ−ＣＳＣＦおよびＵＥ１に転送される。このメッセージは、ユーザのエージェント（ＡＳ）との接触には成功したが、要求−URI（例えば、ビデオ・サービス）が指定する具体的な資源は受け入れられないことを、ＵＥ１のユーザに伝える。
【００３０】
図５は、代案を示し、この場合、特定の区域内において禁止されているサービスに関するデータをハンドセットに伝達する（ステップ３００）ためにセル・ブロードキャストを実施することができる。また、データは、特定の区域においてサービスが禁止される時間も収容することができる。データは、好ましくは先入れ先出し（ＦＩＦＯ）順でＭＳ／ハンドセットに格納する（ステップ３０２）。
【００３１】
セル・ブロードキャストを受信した後のある時点において、ユーザはサービスを用いることを要求することができる（ステップ３０４）。ＭＳ／ＵＥは、例えば、ＧＰＳまたはＭＳ内部にあるその他のローカル能力によって、その所在地を判定する（ステップ３０６）。次に、ＭＳは、要求したサービス、所在地、および／または時間に対して制約があるか否か判定を行う（ステップ３０８）。制約がない場合、サービスが許可されるが（ステップ３１０）、それ以外では、サービスは遮断される（ステップ３１２）。
【００３２】
以上、種々の図の好適な実施形態に関連付けて、本発明について説明したが、他の同様の実施形態を用いてもよく、あるいは本発明から逸脱することなく、その同じ機能を実行するために、記載した実施形態に対して修正や追加を行ってもよいことは言うまでもない。例えば、本願に記載した本発明は、有線またはワイヤレスを問わず、いずれの環境にも適用することができ、通信ネットワークを通じて接続され、ネットワークを跨いで相互作用する、いかなる数のこのようなデバイスにも適用することができることは、当業者には認められよう。したがって、本発明は、いずれの単独の実施形態にも限定されることはなく、逆に、添付した特許請求の範囲にしたがってその広さおよび範囲を解釈することとする。
【図面の簡単な説明】
【００３３】
【図１】図１は、ＧＳＭ／ＧＰＲＳ／ＩＰマルチメディア・ネットワーク・アーキテクチャの一例を示す。
【図２】図２は、本発明にしたがって実行するプロセス例を示す。
【図３】図３は、発呼側が被呼側と連絡を取る場合の上位呼フローの一例である。
【図４】図４は、サービス遮断を実施するための詳細な呼フローの一例である。
【図５】図５は、セル・ブロードキャストを用いて、特定の区域内における禁止サービスに関するデータをハンドセットに伝達する代替実施形態を示す。
【図１】
2009504091.tif 000003
【図２】
2009504091.tif 000004
【図３】
2009504091.tif 000005
【図４】
2009504091.tif 000006
【図５】
2009504091.tif 000007
【国際調査報告】
2009504091.tif 000008
2009504091.tif 000009
2009504091.tif 000010